(57)【要約】    【課題】  本発明の目的は、尿タンク内に尿パックを配置した状態で、尿タンク内及び尿パック内を均一に負圧にして、尿パックへの尿の吸引を可能にすることである。これにより、尿パックに回収した尿を衛生的で容易に廃棄できる自動排尿処理装置を提供することができる。    【解決手段】  尿パック４４を連通孔４７及び連通切欠５４を穿設する支持板４２、尿袋４３で構成する。尿タンク１３に尿パック４４を固定するための、支持板固定ガイド４１を配置する。吸引チューブ２０と尿排出管４０は、連通孔４７及び連通切欠５４により連通しており、吸引チューブ２０で空気を吸引すると、尿タンク１３及び尿パック４４の内部が均一に負圧になるように構成する。【選択図】  図５
2006136491.tif 000002
【特許請求の範囲】
【請求項１】
装着者が排泄する尿を吸尿する尿レシーバと、チューブ導孔が穿設されている蓋により密閉されている尿タンクと、前記尿タンクに収納されている尿溜め袋と、前記尿溜め袋を前記尿タンクに収納支持し、前記尿溜め袋に尿を導くチューブ孔が穿設されている支持板と、前記尿レシーバから前記蓋のチューブ導孔と前記支持板のチューブ孔を通して前記尿溜め袋に尿を導く導尿チューブと、前記尿タンク内の空気を吸引する真空ポンプとを具備し、前記支持板は前記尿溜め袋内と前記尿タンク内の空気通路が形成されていることを特徴とする自動排尿処理装置。
【請求項２】
装着者が排泄する尿を吸尿する尿レシーバと、チューブ導孔が穿設されている上蓋により密閉されている尿タンクと、前記尿タンクに収納されている尿溜め袋と、下面に開口部が接着される前記尿溜め袋を前記尿タンクに収納支持し、前記尿溜め袋に尿を導くチューブ孔が穿設されている支持板と、前記尿レシーバから前記上蓋のチューブ導孔に尿を導く導尿チューブと、前記導尿チューブに連接し前記支持板のチューブ孔を通して前記尿溜め袋に尿を導く尿排出管と、前記尿タンク内の空気を吸引する真空ポンプとを具備し、前記支持板は前記尿溜め袋内と前記尿タンク内の圧力を等しくする空気通路が形成されていることを特徴とする自動排尿処理装置。
【請求項３】
装着者が排泄する尿を吸尿する尿レシーバと、チューブ導孔が穿設されている上蓋により密閉されている尿タンクと、前記尿タンクに収納されている軟質部材で形成されている尿溜め袋と、下面に開口部が接着される前記尿溜め袋を前記尿タンクに収納支持し、前記尿溜め袋に尿を導くチューブ孔が穿設されている支持板と、前記尿レシーバから前記上蓋のチューブ導孔に尿を導く導尿チューブと、前記導尿チューブに連接し前記支持板のチューブ孔を通して前記尿溜め袋に尿を導く尿排出管と、前記尿タンク内に配置されている吸引チューブと、前記吸引チューブを介して前記尿タンク内の空気を吸引する真空ポンプとを具備し、前記支持板は前記尿溜め袋内と前記尿タンク内の圧力を等しくする空気通路が形成されていることを特徴とする自動排尿処理装置。
【請求項４】
請求項１〜３のいずれか１項において、前記支持板のチューブ孔は臭気遮断フィルムが設けられていることを特徴とする自動排尿処理装置。
【請求項５】
請求項１〜３のいずれか１項において、前記支持板は前記チューブ孔を塞ぐ孔塞ぎテープが設けられていることを特徴とする自動排尿処理装置。
【請求項６】
請求項１〜３のいずれか１項において、前記尿溜め袋は内部に高吸収性樹脂が配置されていることを特徴とする自動排尿処理装置。
【請求項７】
請求項１〜３のいずれか１項において、前記尿溜め袋と前記支持板は尿パックを構成し、使い捨てにされることを特徴とする自動排尿処理装置。
【請求項８】
請求項７において、前記尿パックを構成する尿溜め袋は底板が設けられていることを特徴とする自動排尿処理装置。
【請求項９】
装着者が排泄する尿を吸尿する尿レシーバから導尿チューブによって尿を導かれる密閉尿タンクに収納される尿パックは、前記尿タンクに収納されている尿溜め袋と、下面に開口部が接着される前記尿溜め袋を前記尿タンクに収納支持し、前記尿溜め袋に尿を導くチューブ孔が穿設されている支持板とを有し、前記支持板は前記尿溜め袋内と前記尿タンク内の圧力を等しくする空気通路が形成されていることを特徴とする尿パック。
【発明の詳細な説明】
【技術分野】
【０００１】
本発明は、自力歩行が困難な老人、入院患者、身体障害者、その他の自分の意志で排尿をコントロールしたり始末するのが困難な人に装着して排尿を処理する自動排尿処理装置に関する。
【背景技術】
【０００２】
一般に、自力歩行が困難な老人、身体障害者、怪我や病気での入院患者などは、自分の意志で排尿をコントロールすることが困難になり、また、尿を自力での後始末が困難になることがある。このようになると、一般的には膀胱に管を直接挿入して採尿したり、あるいは紙おむつを使用するようにしている。
【０００３】
膀胱に直接管を挿入する場合には、使用者の不快感も大きく、また尿道や膀胱を傷つけたり感染症を引き起こす可能性が高いなど、専門的な知識と滅菌された専用の器具が無いと処理が困難になる。
【０００４】
また、紙おむつは、長時間装着すると尿漏れが起きたり、また装着者の不快感や、蒸れ、被れなどの皮膚疾患を生じることがある。そのため、頻繁な取替えが必要となり、装着者及び介護者の精神的、肉体的負担も多くなる。精神的、肉体的負担は日常生活の中でも非常に大きな割合を占め、その上、経済的な負担も大きくなる。
【０００５】
このような問題を解決するために、尿レシーバを用いて尿を真空ポンプによって吸引し、導尿チューブを介して尿タンクに導尿する自動排尿処理装置が提案されている。
【０００６】
介護者が尿タンクに蓄えられた尿を廃棄するには、尿タンクを装置から取り外し、便器まで運んで尿を廃棄する。このような尿タンクを用いた自動排尿処理装置は、例えば、下記の特許文献１、２に記述されている。
【０００７】
【特許文献１】特開平８−１９１８５２号公報
【特許文献２】特開２０００−１５２９５３号公報
【発明の開示】
【発明が解決しようとする課題】
【０００８】
尿タンク内の尿を便器に廃棄する際には、飛散した尿が衣服や肌に付着する可能性があり不衛生である。また、廃棄の際には尿の臭気が漂うため、介護者の精神的な負担になる。更に、尿タンク内に雑菌が繁殖しないように、一定期間ごとに尿タンク内を洗浄する必要がある。そのため、清潔で容易に尿を廃棄できるように、使い捨ての尿パックを尿タンクに配置したいという要望がある。尿パックに尿を取り込むためには、尿タンク及び尿パック内部を均一に負圧にする必要がある。しかし、尿タンクに尿パックを配置すると、尿タンク及び尿パック内部を均一に負圧にすることが困難になり、尿を吸引する障害になるという課題がある。
【課題を解決するための手段】
【０００９】
本発明の特徴とするところは、尿パックを構成する支持板は尿溜め袋内と尿タンク内の圧力の圧力を均一にするための尿溜め袋内と尿タンク内の空気通路が形成されていることにある。具体的には、支持板は連通孔と連通切欠が形成される。
【発明の効果】
【００１０】
本発明は、尿パックの支持板に尿タンク内の圧力と尿パック内（尿溜め袋内）の圧力を均一にするための空気通路を形成しているので、尿タンク内に使い捨ての尿パックを配置して尿を吸引することが可能になり、尿を衛生的かつ容易に廃棄することができる。
【発明を実施するための最良の形態】
【００１１】
自動排尿処理装置の携帯尿処理装置は携帯性を持たせるため小型軽量でバッテリーにて動作するように構成する。尿パックは剛性を持つ支持板と可撓性を有する尿溜め袋で構成され、支持板固定ガイドを用いて尿タンク内に固定される。支持板には連通孔と連通切欠を穿設しており、尿タンク内と尿パック内を均一に負圧にすることができる。真空ポンプにより尿タンク内の空気が排出されると尿タンク内及び尿パック内が均一に負圧になる。導尿チューブに接続されている尿レシーバから尿が吸い込まれ、尿パック内に排出される。尿パックは取り外して尿を衛生的かつ容易に廃棄することができる。
【実施例】
【００１２】
図１〜図９に本発明の一実施例を示す。図１は本発明の自動排尿処理装置の全体構成図を示し、図２は上蓋の縦断面図、図３は上蓋を除く携帯尿処理装置の縦断面図、図４は携帯尿処理装置の一例構成図、図５は携帯尿処理装置と尿パックの斜視図、図６は携帯尿処理装置に尿パックを装着した斜視図、図７は携帯尿処理装置に尿パックを装着した上面図、図８は携帯尿処理装置の縦断面図、図９は上蓋を開けた状態における携帯尿処理装置の縦断面図を示している。
【００１３】
図１〜図９に示す実施例は、尿を清潔で容易に廃棄することができる使い捨て尿パック及び尿タンクの例を示している。また、特に、尿の吸引時に尿パックがしぼまないように尿タンク及び尿パック内部を均一に負圧にする構成を重点的に説明する。
【００１４】
図１において、尿レシーバ１は平面的に図示しているが、実際には装着者の股間に接触する面を装着者の股間側に膨出して形成するのが好ましく尿レシーバ１の股間部を横断面視すると、Ω字状に尿レシーバ１を折り畳む様に形成すると良い。また、尿レシーバ１は装着者の股間に位置する長手方向（装着者の前後方向）の略中央部が図１に示すように幅が狭くなり絞られた形状に形成されている。尿レシーバ１の略中央部を絞られた形状にしているのは装着者の股間にフィットさせるためである。
【００１５】
尿レシーバ１は装着者の股間に接触する面（上面）から見た図であり、装着者の排尿を回収する排尿回収部材３と排尿があったことを検知する尿検知センサ４（２条の電極４ａ、４ｂ）が尿レシーバ１の内部に配置されている。排尿回収部材３の下側には、図示しないビーズ状の吸尿空間形成部材が配置されている。
【００１６】
また、尿レシーバ１は尿の横漏れを防止するための立体構造のギャザー５が形成されている。排尿回収部材３と尿検知センサ４は、装着者が尿レシーバ１内に排出した広い範囲の尿を検知、回収するために装着者の股間の前後方向に長く形成されている。排尿回収部材３の略中央部には、導尿チューブ６が接続されている。尿検知センサ４には、信号線７が接続されている。
【００１７】
また、携帯尿処理装置８には導尿チューブ９及び信号線１０が接続されており、導尿チューブ９及び信号線１０の他端にはジョイント１１が接続される構成になっている。ジョイント１１は、導尿チューブ６、９及び信号線７、１０をワンタッチで連結する機能を有する。尿レシーバ１は、１日程度使用した場合や大便などの汚れが付着した場合には、ジョイント１１により携帯尿処理装置８から切り離して廃棄して、新しい尿レシーバ１を装着者に装着することができる。
【００１８】
携帯尿処理装置８は、上蓋１２、尿タンク１３、底蓋１４により構成されている。上蓋１２の外面には、表示装置２６、チューブ接続口２７、センサ接続口２８、手動スイッチ２９、上蓋開閉ボタン３０が配置されている。チューブ接続口２７にはチューブ装着具が取付けられている状態を示している。尿タンク１３の外面には、タンク残量覗き窓３２が配置されている。底蓋１４には、バッテリーボックス２１などが配置されている。携帯尿処理装置８は円筒形状であり、直径は１１０ｍｍ、高さは１９０ｍｍ程度である。
【００１９】
図２（ａ）は上蓋１２を縦断面した分解図で、図２（ｂ）は上蓋１２の縦断面図を示す。
【００２０】
図２において、上蓋底部３８の上面には制御基板２３が配置されている。また、上蓋底部３８の下面外周には上蓋パッキン３９が接着して配置されている。上蓋底部３８は、上蓋１２の開口部を塞ぐように接着して配置される。尿排出管４０は、上蓋底部３８及び上蓋１２の中央に穿設された孔を貫通して配置され、チューブ接続口２７により導尿チューブ９と接続される。また、上蓋１２には、制御基板２３の配線を通すための配線孔１２ａが穿設されている。
【００２１】
図３に上蓋を除く携帯尿処理装置８を縦断面した分解図を示す。尿パック４４は、支持板４２、尿溜め袋（尿袋）４３、底板５６で構成されており、上蓋１２を開けて尿タンク１３への着脱を行う。尿タンク１３は、尿タンクヒンジ３５、配線カバー４６などで構成されている。吸引チューブ２０の一端は底蓋１４に配置されている真空ポンプ１７に接続されており、他端は尿タンク１３の底部を貫通して尿タンク１３の内壁に固定されている。吸引チューブ２０は尿タンク１３の貫通部付近でシールされており、尿タンク１３内の気密は保たれている。吸引チューブ２０の吸込口（他端）は、尿パック４４から尿が漏れることがあったとしても、漏れた尿を吸い込みにくいように尿タンク１３の上部に配置している。底蓋１４には真空ポンプ１７、モータ１８、バッテリーボックス２１が配置されている。
【００２２】
図４に携帯尿処理装置８の一例構成図を示す。
【００２３】
図４を用いて尿の吸引動作を説明する。装着者が尿レシーバ１に排尿すると、尿検知センサ４ａ、４ｂの電気的な導通を信号線７、１０を経由して、制御基板２３が検知する。排尿を検知した制御基板２３は電線２２に電流を流しモータ１８を起動させる。モータ１８の回転により真空ポンプ１７が動作すると吸引チューブ２０を介して尿タンク１３内の空気を吸引する。
【００２４】
尿タンク１３内の空気が吸引されると内部が負圧になるため、導尿チューブ６、９を介して尿レシーバ１に排出された尿が尿タンク１３に吸い込まれる。このような構成の携帯尿処理装置８の尿タンク１３内に使い捨ての尿パック４４を配置すると、尿パック４４に尿を溜めることができるため、尿を清潔で簡単に廃棄することができる。
【００２５】
尿を吸引するためには、導尿チューブ９の尿排出口の周囲を負圧にする必要がある。そのためには、吸引チューブ２０で空気を吸い出すことによる圧力低下を導尿チューブ９の尿排出口の周囲にまで作用させるための空気の通り道（空気通路）が必要である。更に、尿タンク１３内と尿パック４４内を均一に負圧にさせる必要がある。尿パック４４を構成する尿袋４３に柔軟な素材を使用した場合には、尿タンク１３内で圧力の差が生じると、尿袋４３を適正な形状に保持することができない。例えば、尿タンク１３内の圧力よりも尿パック４４内の圧力が小さいと尿袋４３がしぼんでしまうため尿の吸引ができなくなる。
【００２６】
尿パック４４は、携帯尿処理装置８を持ち運んでも尿タンク１３内の適正な位置に保持されるように固定する必要がある。そのために、尿パック４４に剛性を有する支持板４２を設けて尿タンク１３に固定する。しかし、支持板４２で尿タンク１３内部が仕切られるため、吸引チューブ２０から導尿チューブ９の尿排出口までの空気の通り道が遮られたり、圧力の不均一が生じる。本発明の尿パック４４を用いると、吸引チューブ２０から導尿チューブ９の尿排出口までの空気の通り道を確保し、尿タンク１３内と尿パック４４内を均一に負圧にすることができる。
【００２７】
図５（ａ）に尿パック４４の斜視図、図５（ｂ）に携帯尿処理装置８の上蓋１２を開けた状態の斜視図を示す。尿パック４４は尿タンク１３内に収まるように概ね円筒形状であり、支持板４２、尿袋４３、底板５６などで構成されている。また、尿タンク１３の内壁上部には、支持板４２を固定するための支持板固定ガイド４１が配置されている。
【００２８】
支持板４２には、チューブ孔４８、連通孔４７、位置決め切欠５３、連通切欠５４が穿設されている。上蓋１２を閉じるとチューブ孔４８に尿排出管４０が差し込まれ、尿の排出口は尿パック４４内に配置される。これは、携帯尿処理装置８が傾いていても、尿を確実に尿パック４４内に取り込むためである。
【００２９】
支持板４２に穿設した連通孔４７は、尿タンク１３内と尿パック４４内の圧力を均一にするために設けている。また、支持板４２に２つの連通切欠５４を設けており、支持板４２で尿タンク１３内の空気の流れが妨げられるのを防いでいる。このように、連通孔４７と連通切欠５４を支持板４２に設けることで、吸引チューブ２０から尿排出管４０までの空気の通り道を確保し、尿タンク１３内と尿パック４４内を均一に負圧にすることができる。
【００３０】
尿パック４４構成を具体的に説明する。支持板４２には、臭気防止フィルム４９、孔塞ぎテープ５０、紐５１が配置される。支持板４２は、ビニールなどのラミネートによる防水加工がされた厚紙などで形成されており、直径は１００ｍｍ、厚さは１〜２ｍｍ程度である。支持板４２は、尿タンク１３に固定して使用されるため、尿袋４３内に尿が溜まっても形状を保持できる程度の剛性を有する素材で形成される。
【００３１】
連通孔４７は直径４ｍｍ程度、チューブ孔４８は直径１０ｍｍ程度である。連通切欠５４は尿パック４４を尿タンク１３に装着する際の取手としても使用され、指が入る程度の円周方向２０ｍｍ、半径方向１０ｍｍ程度の大きさである。位置決め切欠５３は、尿パック４４を尿タンク１３の取り付け位置に正確に配置するために設けられており、半径１ｍｍ程度である。尿袋４３は、透明または薄く着色されたビニールなどで袋状に形成されており、袋の開口部全周を支持板４２の下面に接着材などで接着されている。
【００３２】
尿パック４４の容量は２回分の排尿を蓄えられる５００ｍｌ程度である。尿タンク１３には、覗き窓３２が配置されており尿パック４４に蓄えられた尿の量を確認することができるため、尿パック４４の交換のタイミングを知ることができる。なお、携帯尿処理装置８と尿パック４４は円筒形状でなく、携帯時に車椅子や身体にフィットするように他の形状にすることもできる。
【００３３】
臭気遮断フィルム４９は、上蓋１２を開けた際に尿袋４３内の臭気が外に漏れないようにするために支持板４２の下面に接着されて配置されている。臭気遮断フィルム４９には、中央部から放射状に切り込みが設けられており、尿排出管４０がチューブ孔４８に差し込まれると開口し、尿排出管４０が外されると閉塞するように構成されている。臭気遮断フィルム４９は、厚さ０．４ｍｍ程度のポリ塩化ビニールやポリエチレンテレフタレートなどの高弾性で元の形状に戻る性質を持つ素材で形成されている。
【００３４】
孔塞ぎテープ５０は、尿パック４４を廃棄する際に、内部の尿や臭気が外に漏れないようにチューブ孔４８、連通孔４７を塞ぐ際に使用し、長手方向（支持板４２の半径方向）が３５ｍｍ、幅が２０ｍｍ程度で形成される。チューブ孔４８に近い孔塞ぎテープ５０の端面は支持板４２に強く接着され、遠い方の端面は容易に剥がせる程度に接着されており、他の部分は接着されていない。孔塞ぎテープ５０は、上面が粘着面になるような粘着シールで形成されており、チューブ孔４８に遠い方の端面には取手が設けられている。尿パック４４を廃棄する際には、孔塞ぎテープ５０の取っ手をつまみ、接着を剥がしてから粘着シールの粘着カバーを剥がし、粘着面を下にして、チューブ孔４８、連通孔４７を塞ぐように接着する。
【００３５】
紐５１は、両端がそれぞれ支持板４２の２つの連通切欠５４付近に取り付けられており、紐５１の中央部は孔塞ぎテープ５０の下面で押さえられるように配置される。孔塞ぎテープ５０の接着後に、自由になった紐５１の中央部を持ち、引き上げることで尿パック４４を尿タンク１３から容易に取り外すことができる。また、紐５１を持って廃棄場所まで移動できるので、何らかの原因で尿パック４４の外側が尿で汚れている場合でも、尿に触れずに廃棄することができる。紐５１は撥水性があり伸縮性の無いビニールなどで形成され、直径は１ｍｍ、長さは１３０ｍｍ程度である。
【００３６】
尿袋４３の内部には尿をゲル状に固める高吸収性樹脂５２が配置される。尿をゲル状に固めることで、尿袋４３内での尿の移動（遥動）を抑制しており、携帯尿処理装置８を傾けるなどしたときに尿がチューブ孔４８や連通孔４７から漏れることを防止している。また、高吸収性樹脂５２に脱臭剤や芳香剤を加えることにより、尿の臭気を抑制することができる。更に、着色剤を加えて尿の色を他の色に変化させることで、介護者が尿パック４４を交換する際の精神的苦痛を和らげることができる。一方、尿の色で健康状態を確認するために着色剤を加えないこともできる。また、尿の成分に反応する試薬を加えることで、健康状態を把握することもできる。
【００３７】
尿袋４３は、かさばらないように潰されて折りたたまれた状態で保管されており、使用時に円筒形状になるように広げて尿タンク１３に装着する。そのため、尿袋４３の底面の形状に合わせた厚紙などで形成された底板５６を底面に配置しており、支持板４２と底板５６を平行に手で持ち、引き離すことで容易に尿袋４３を広げることができるようにしている。
【００３８】
図６に携帯尿処理装置８に尿パック４４を取り付けた斜視図を示す。尿パック４４は、２個の位置決め突起５５に位置決め切欠５３を嵌め込むようにして、支持板４２の縁を支持板固定ガイド４１に載置して装着する。上蓋１２を閉じると尿排出管４０の先端がチューブ孔４８に差し込まれ、チューブ孔４８の内周に密着することで、尿パック４４が完全に固定される。なお、尿排出管４０はプラスチックなどで形成されており、尿タンク１３の壁面でシールされているため、尿タンク１３内の気密は保たれている。吸引チューブ２０から空気が排出されると、尿パック４４内の空気は図示の太線矢印方向に流れるため、尿タンク１３内と尿パック４４内は均一に負圧になる。
【００３９】
図７に携帯尿処理装置８に尿パック４４を取り付けた上面図を示す。図７は上蓋１２の図示を省略している。支持板４２に穿設された連通孔４７及び連通切欠５４により、尿タンク内１３と尿パック４４内の空気の通り道（空気通路）を確保している。
【００４０】
図８に携帯尿処理装置８の縦断面図を示す。図示しない電線２２、２５は、底蓋１４の側面を貫通して配線カバー４６を通り、尿タンクヒンジ３５及び上蓋ヒンジ３４を貫通し、配線孔１２ａを貫通して、制御基板２３に接続される。尿タンク１３は、上蓋１２を閉じるとOリング状の上蓋パッキン３９で密閉されるため、尿タンク１３の気密は保たれる。
【００４１】
真空ポンプ１７は、ポンプ室の容積を減少させながら真空排気する容積形真空ポンプを用いている。このポンプを毎分５０００回転以下で真空排気速度を毎秒４０ｍｌとするために、揺動ピストン４１の回転半径を１．４ｍｍ、該ピストンの幅を１５ｍｍ、そしてシリンダ６０の内径を１７．２ｍｍと設定することができる。これによって、外周の大きさを直径３０ｍｍ以下にすることが可能である。
【００４２】
また、シリンダと揺動ピストンをエンジニアリングプラスチックの１種であるポリフェニリンサルファイド樹脂とすることによって、尿の臭いがする気体に触れても腐蝕することなく、長期の使用に耐えることができる。また、比重が小さいことから大きな軽量化も達成できる。
【００４３】
上述のように真空ポンプの容量を小さくすることで極力、空気の巻き込み量を少なくして尿を吸引することができるので、尿吸引時のチューブの暴れはほとんど無くなり吸引音も小さくすることができる。具体例で言うと、従来の大きなポンプでは騒音レベルが３０〜５０ｄＢであるのに対して、本実施例では３０ｄＢ以下とすることができる。
【００４４】
図９に上蓋を開けた状態における携帯尿処理装置８の縦断面図を示す。上蓋１２を閉じるときには、矢印で示すように尿排出管４０の先端は上蓋ヒンジ３４と尿タンクヒンジ３５の支点を中心とした円弧の軌道でチューブ孔４８に挿入される。そのため、尿排出管４０の先端は、チューブ孔４８に挿入され易いようにテーパーを設けている。尿排出管４０の先端上面の直径は１２ｍｍ、下面の直径は８ｍｍ、高さは５ｍｍ程度である。図示しない臭気遮断フィルム４９は、尿排出管４０の挿入により広げられるため、尿排出管４０からの尿の排出は妨げられることはない。
【００４５】
本発明の自動排尿処理装置はこのように構成されており、尿パックの支持板に尿タンク内の圧力と尿パック内の圧力を均一にするための空気通路を形成しているので、尿タンク内に使い捨ての尿パックを配置して尿を吸引することが可能になり、尿を衛生的かつ容易に廃棄することができる。
【００４６】
次に、本発明の自動排尿処理装置の使用形態や他の例について説明する。
【００４７】
本発明の自動排尿処理装置を使用して、尿レシーバ１に若干の尿が残った場合などには、装着者の股間に蒸れが生じることがある。このような股間の蒸れを防止するために、一定時間ごとに真空ポンプ１７を空運転するように設定することができる。真空ポンプ１７の空運転により、湿度の高い股間の空気を排気することにより、尿レシーバ１内の湿度の低下と乾燥を促進することができる。
【００４８】
また、導尿チューブ９及び尿排出管４０の内部は尿にさらされるため、長時間使用すると雑菌が繁殖することがある。そのため、殺菌作用と洗浄作用を有する洗浄液を用いて、洗浄することができる。洗浄する際には、ジョイント１１から尿レシーバ１を外して、ジョイント１１を洗浄液に浸し、手動スイッチ２９により真空ポンプ１７を動作させることで、洗浄液が導尿チューブ９及び尿排出管４０の内部を流れて洗浄することができる。洗浄後の洗浄液は尿パック４４に蓄えられるので、尿パック４４ごと廃棄することができる。
【００４９】
携帯尿処理装置８は以下のような構造にすることもできる。
【００５０】
実施例では、制御基板２３、表示装置２６、センサ接続口２８、手動スイッチ２９などが上蓋１２に配置されているが、これらの部品を底蓋１４に配置することもできる。この配置にすることで、電線２２、２５を上蓋１２まで配線する必要が無くなり、配線カバー４６を省略できる。また、上蓋１２が軽量になるため、容易に上蓋１２を開閉することが可能になる。更に、底蓋１４に配置されている部品を尿タンク１３の側面に配置することもできる。
【００５１】
また、チューブ孔４８と連通孔４７を独立して配置しているが、尿排出管４０の先端のすり鉢状の突起部と臭気遮断フィルム４９を無くして、尿排出管４０をチューブ孔４８より細く形成することもできる。この構成では、チューブ孔４８と尿排出管４０の隙間が連通孔４７の役割を果たすため、連通孔４７を省略することができる。この場合、上蓋底部３８から爪のような突起部を伸ばすことで、支持板４２を固定できる。また、尿タンク１３をモジュール化することにより、夜間などの長時間に対応した大容量の尿タンク１３と交換できるようにすることもできる。
【００５２】
携帯尿処理装置８は、上蓋１２に、動作日時、動作時間、運転状態、排尿量、尿成分、使用者IDなどのデータを、着脱可能なメモリに保存することができるコネクタを設けることもできる。メモリのデータは、パソコンなどでデータ処理を行い、排尿チャートなどの健康管理情報として利用できる。また、タイマー及びタイマーを動作するための二次電池も設けることができる。
【００５３】
携帯尿処理装置８は尿タンク１３と尿パック４４の隙間を小さく構成して、尿パック４４の容量を確保しながら尿タンク１３の容積を小さくすることもできる。これにより、尿タンク１３内の圧力を早く低下することができ、尿回収のレスポンスを向上することができる。
【００５４】
携帯尿処理装置８に以下に述べるように警報機能を追加することもできる。
【００５５】
尿パック４４のあふれ防止の機能として、尿タンク１３の底部に重量センサを配置して、尿パック４４内に溜められた尿の量を検知し、満杯に近くなると警報を出すようにすることもできる。
【００５６】
また、尿タンク１３の密閉不具合を検知する機能として、尿タンク１３内に圧力センサを配置し、真空ポンプ１７動作時の圧力上昇が一定レベルに到達しない場合は密閉不具合の警報を出すようにすることもできる。
【００５７】
モータ１８の過負荷防止の機能として、導尿チューブ６、９の折れや潰れなどによるチューブの詰まりを、モータ１８の負荷による電流値の上昇から検出し、モータ１８の停止と警報を出すようにすることもできる。
【００５８】
また、吸引チューブ２０の尿吸込防止機能として、携帯尿処理装置８が倒れた場合には、吸引チューブ２０側が上になるように、吸引チューブ２０の反対側が重くなるような部品配置にすることもできる。これにより、尿パック４４から排尿が漏れ出したとしても、吸引チューブ２０に到達しにくい。また、携帯尿処理装置８に角度センサを備え、一定角度以上に傾いている場合には警報を出すようにすることもできる。また、吸引チューブ２０に尿タンク１３内の水分や臭気が吸い込まれるのを防止するフィルタを設けることもできる。
【００５９】
また、尿パック４４の装着忘れを防止するために、尿パック４４を装着すると押下されるピンを支持板固定ガイド４１の付近に配置しており、ピンが押されずに上蓋１２を閉じられた場合は、警報を出すようにすることもできる。
【００６０】
携帯尿処理装置８に以下の表示機能を追加することもできる。表示装置２６には、真空ポンプ１７の運転状態、バッテリー残量、収尿情報などを表示することもできる。また、モータ１８に作用する負荷の大きさを電流値の変化から読み取り、その負荷を尿の流量に換算することで尿パック４４内の尿の量を検出して表示することもできる。
【図面の簡単な説明】
【００６１】
【図１】本発明の一実施例を示す全体構成図である。
【図２】本発明における上蓋の縦断面図である。
【図３】本発明における上蓋を除く携帯尿処理装置の縦断面図である。
【図４】本発明の携帯尿処理装置の一例構成図である。
【図５】本発明の携帯尿処理装置と尿パックの斜視図である。
【図６】本発明の携帯尿処理装置に尿パックを装着した斜視図である。
【図７】本発明の携帯尿処理装置に尿パックを装着した上面図である。
【図８】本発明の携帯尿処理装置の縦断面図である。
【図９】本発明における上蓋を開けた携帯尿処理装置の縦断面図である。
【符号の説明】
【００６２】
１…尿レシーバ、３…排尿回収部材、４…尿検知センサ、４ａ、４ｂ…短冊状電極、５…ギャザー、６、９…導尿チューブ、７、１０、２２…信号線、８…携帯尿処理装置、１１…ワンタッチジョイント、１２…上蓋、１２a…配線孔、１３…尿タンク、１４…底蓋、１５…液相部、１６…気相部、１７…真空ポンプ、１８…モータ、１９…排気チューブ２０…吸引チューブ、２１…バッテリーボックス、２１ａ…バッテリー、２２、２５…電線、２３…制御基板、２６…表示装置、２７…チューブ接続口、２８…センサ接続口、２９…手動スイッチ、３０…上蓋開閉ボタン、３２…タンク残量覗き窓、３４…上蓋ヒンジ、３５…尿タンクヒンジ、３６…配線カバー、３７…排気口、３８…上蓋底部、３９…上蓋パッキン、４０…尿排出管、４１…支持板固定ガイド、４２…支持板、４３…尿袋、４４…尿パック、４６…配線カバー、４７…連通孔、４８…チューブ孔、４９…臭気遮断フィルム、５０…孔塞ぎテープ、５１…紐、５２…高吸収性樹脂、５３…位置決め切欠、５４…連通切欠、５５…位置決め突起、５６…底板。
【図１】
2006136491.tif 000003
【図２】
2006136491.tif 000004
【図３】
2006136491.tif 000005
【図４】
2006136491.tif 000006
【図５】
2006136491.tif 000007
【図６】
2006136491.tif 000008
【図７】
2006136491.tif 000009
【図８】
2006136491.tif 000010
【図９】
2006136491.tif 000011